(57)【要約】【課題】従来と異なる方法で遊技機の興趣性を向上させることができる遊技機用電飾装置を提供する。【解決手段】遊技機に取り付けられる遊技機用電飾装置１であって、発光する発光体２ａと、発光体２ａを覆いかつ弾性材料から形成されるレンズ３と、レンズ３を弾性変形させる変形装置４とを有している。【選択図】図２
2009172187.tif 000002
【特許請求の範囲】
【請求項１】
遊技機に取り付けられる遊技機用電飾装置であって、
発光する発光体と、その発光体を覆いかつ弾性材料から形成されるレンズと、そのレンズを弾性変形させる変形装置とを有することを特徴とする遊技機用電飾装置。
【請求項２】
請求項１に記載の遊技機用電飾装置であって、
弾性材料から形成されかつレンズの端部を保持するレンズ取付台を有し、
前記レンズ取付台が変形装置によって変形されることで、前記レンズが変形することを特徴とする遊技機用電飾装置。
【請求項３】
請求項１または２に記載の遊技機用電飾装置であって、
発光体とレンズの間には、前記発光体を覆いかつ凹部または凸部を有する内側レンズが設けられていることを特徴とする遊技機用電飾装置。
【請求項４】
請求項１〜３のいずれかに記載の遊技機用電飾装置であって、
変形装置は、レンズの側方側に張出す爪部材と、その爪部材を前記レンズ側へ動かす駆動源とを有することを特徴とする遊技機用電飾装置。
【発明の詳細な説明】
【技術分野】
【０００１】
本発明は、パチンコ機やスロットマシンなどの遊技機に取付けられて興趣性を向上させる電飾装置に関する。
【背景技術】
【０００２】
従来、遊技機には、種々な電飾装置が取付けられている。例えば、発光体と、発光体を覆いかつキャラクタ等の立体形状を有するレンズと、そのレンズを覆うハーフミラーを有し、キャラクタを光らせることのできる電飾装置が知られている（特許文献１参照）。あるいは発光体と、発光体を覆うレンズと、レンズを覆うプリズムシートと、レンズを回転させる駆動源を有し、光の筋を回転させることのできる電飾装置が知られている（特許文献２参照）。したがってこれら電飾装置によって遊技機の興趣性が向上されている。
【特許文献１】特開２００７−３０１０５９号公報
【特許文献２】特開２００７−３１３０２６号公報
【発明の開示】
【発明が解決しようとする課題】
【０００３】
そこで本発明は、従来と異なる方法で遊技機の興趣性を向上させることができる遊技機用電飾装置を提供することを課題とする。
【課題を解決するための手段】
【０００４】
前記課題を解決するために本発明は、各請求項に記載の通りの構成を備える遊技機用電飾装置であることを特徴とする。すなわち請求項１に記載の発明によると、発光する発光体と、その発光体を覆いかつ弾性材料から形成されるレンズと、そのレンズを弾性変形させる変形装置とを有している。したがって発光体から発せられた光は、レンズによって屈折し、その屈折角度がレンズの変形に連動して変化する。そのため光の屈折角度の変化によって遊技機の興趣性が向上する。
【０００５】
請求項２に記載の発明によると、弾性材料から形成されかつレンズの端部を保持するレンズ取付台を有している。そしてレンズ取付台が変形装置によって変形されることで、レンズが変形する。したがってレンズは、レンズ取付台によって保持されるために安定良く保持され得る。そしてレンズ取付台を変形装置によって弾性変形させることでレンズがレンズ取付台を介して弾性変形される。
【０００６】
請求項３に記載の発明によると、発光体とレンズの間には、発光体を覆いかつ凹部または凸部を有する内側レンズが設けられている。したがって内側レンズの凹部または凸部によって光が屈折、散乱等する。そして屈折、散乱等した光は、レンズによってさらに屈折し、その屈折角度がレンズの変形に連動して変化する。そのため屈折、散乱等した光の屈折角度が変化することで遊技機の興趣性が向上する。
【０００７】
請求項４に記載の発明によると、変形装置は、レンズの側方側に張出す爪部材と、その爪部材をレンズ側へ動かす駆動源とを有している。したがって爪部材を駆動源によって動かすことでレンズを変形させることができる。例えばレンズを直接あるいは間接的に変形させることができる。
【発明を実施するための最良の形態】
【０００８】
実施の形態を図１〜６にしたがって説明する。パチンコ機１０は、図１に示すように外枠１１と、外枠１１に回動可能に取付けられる前枠１２を有している。前枠１２には、遊技盤１４と制御基盤などが取付けられる。そして前枠１２には、遊技盤１４を覆うガラス扉１３が回動可能に取付けられる。
【０００９】
遊技盤１４は、図１に示すように円弧状の球誘導レール１４ａによって区画される遊技領域を有している。遊技盤１４の遊技領域の中央部には、図柄表示装置１５が取付けられる。図柄表示装置１５の周りには、複数の回転風車１６と一般入賞口１７が取付けられる。そして図柄表示装置１５の直下に始動入賞口１８が取付けられ、始動入賞口１８の直下に大入賞口を有するアタッカー装置１９が取付けられる。
【００１０】
図柄表示装置１５は、図１に示すように液晶の表示部１５ａと、表示部１５ａの外周を保護する枠体１５ｂを有している。表示部１５ａには、三つのリールが回転・停止するように見える図柄や、キャラクタ等の図柄が表示される。枠体１５ｂは、矩形枠状に形成され、上部、左側部および右側部に電飾装置１が取付けられる。
【００１１】
電飾装置１は、図２，３に示すように発光装置２と、内側レンズ６と、レンズ（外側レンズ）３と、レンズ３を変形させるための変形装置４を有している。発光装置２は、円盤状の基板２ｂと、基板２ｂに取付けられる複数の発光体２ａを有している。発光体２ａは、ＬＥＤ、電球などであって、電流を流すことで光を発する。
【００１２】
内側レンズ６は、図３，４に示すように光透過性の材料を原料として略半球状に形成されている。内側レンズ６は、複数の凹部または凸部、例えばローレット、線彫り、カット溝、球状の膨らみ部などを有している。したがって発光体２ａから発せられた光が凹部または凸部によって散乱、分散等される。この内側レンズ６は、ベース体５の表側ベース５ａに取付けられる。そして内側レンズ６の後側に発光装置２が取付けられる。
【００１３】
ベース体５は、図３，４に示すように表側ベース５ａと、表側ベース５ａの裏面に取付けられる中央ベース５ｂと、中央ベース５ｂの後側に取付けられる後側ベース５ｃを有している。表側ベース５ａには、内側レンズ６が後側から挿通される挿通穴５ａ１が形成されている。表側ベース５ａの表側には、レンズ３がレンズ取付台７を介して取付けられる。
【００１４】
レンズ３は、弾性変形可能でかつ光を透過する材料、例えばＰＥＴなどの樹脂材料から形成される。図３，４に示すようにレンズ３は、略半球状に形成されており、端部の全周がレンズ取付台７に保持される。レンズ取付台７は、弾性変形可能な材料、例えばゴム、エラストマー樹脂から形成されている。レンズ取付台７は、ドーナツ円盤状に形成されており、溝７ａと挿通穴７ｂと取付部７ｃを有している。溝７ａは、レンズ取付台７の外周部に形成されており、レンズ３の端部３ａが嵌め込まれる。挿通穴７ｂは、レンズ取付台７の中央に形成されており、内側レンズ６が挿通される。取付部７ｃは、挿通穴７ｂを中心とするほぼ対象となる位置（左右位置）に形成され、表側ベース５ａの取付孔５ａ４に取付けられる。
【００１５】
変形装置４は、図３，５に示すように駆動源４ａ、ギヤ４ｃ、スライド部材４ｄ、爪部材４ｂを有している。駆動源４ａは、モータであって、電力を回転力として出力する駆動軸４ａ１を有している。駆動源４ａは、後側ベース５ｃの裏側に取付けられる。一対のギヤ４ｃは、後側ベース５ｃの表側に噛合った状態で軸回動可能に取付けられる。ギヤ４ｃの一つには、駆動源４ａの駆動軸４ａ１が嵌合される。ギヤ４ｃの表側には、偏心した位置にピン４ｃ１が設けられている。
【００１６】
スライド部材４ｄは、図４，５に示すように中央ベース５ｂの裏面に取付けられる。中央ベース５ｂの裏面には、レール５ｂ１が二対設けられており、レール５ｂ１の間にスライド部材４ｄが設置される。そしてスライド部材４ｄは、取付部材５ｄによって中央ベース５ｂにスライド可能に保持され、レール５ｂ１に沿って上下にスライドする。スライド部材４ｄの一端部には、左右に長い長穴４ｄ１が形成されており、長穴４ｄ１にギヤ４ｃのピン４ｃ１が左右にスライド可能に挿通される。スライド部材４ｄの他端部には、爪部材４ｂが取付けられる取付部４ｄ２が形成されている。
【００１７】
爪部材４ｂは、図４，５に示すように円柱状の軸部４ｂ２と、平板状の爪４ｂ１と、ガイド部４ｂ３を有している。軸部４ｂ２は、スライド部材４ｄの取付部４ｄ２に取付けられる。ガイド部４ｂ３は、コ字状に形成されており、表側ベース５ａの裏面に形成されたレール５ａ３の間に上下にスライド可能に取付けられる。爪４ｂ１は、表側ベース５ａに形成された長穴５ａ２に挿通される。そして爪４ｂ１は、図２に示すようにレンズ取付台７の側方に張出し、レンズ取付台７に当接する。
【００１８】
したがって図５に示すように駆動源４ａに電力が供給されることで、一対のギヤ４ｃが回転する。そしてギヤ４ｃの回転は、ピン４ｃ１と長穴４ｄ１によってスライド部材４ｄの上下動に変換される。その結果、スライド部材４ｄが上下動し、爪部材４ｂが上下動する。この時、一対のギヤ４ｃの回転方向が逆であるため、一対の爪部材４ｂの動きが逆方向になる。したがって一対の爪部材４ｂが相互に近接し、一対の爪部材４ｂによってレンズ取付台７を上下に潰す。これによりレンズ３も上下に潰れる。一対の爪部材４ｂが相互に離間した際には、レンズ３とレンズ取付台７が弾性力によって元の形状に戻る。したがってレンズ３とレンズ取付台７は、変形装置４によって弾性変形が繰り返される。
【００１９】
そして発光体２ａから発せられた光は、図６に示すようにレンズ３を通ることで屈折する。そして光の屈折角度は、レンズ３が変形することで変化する。そしてレンズ３を変形させるタイミングは、所望のタイミングにすることができる。例えば、パチンコ球が始動入賞口１８に入賞して表示部１５ａの表示が変動した際に、表示部１５ａの変動に連動したタイミングにすることができる。あるいは表示部１５ａに表示された複数の図柄が特定の表示態様になって大当たりになった際に、大当たりと連動したタイミングにすることができる。
【００２０】
以上のように、電飾装置１は、図２に示すように発光体２ａと、発光体２ａを覆いかつ弾性材料から形成されるレンズ３と、変形装置４を有している。したがって発光体２ａから発せられた光は、レンズ３によって屈折し、その屈折角度がレンズ３の変形に連動して変化する。そのため光の屈折角度の変化によって遊技機（パチンコ機１０）の興趣性が向上する。そして従来になかった視覚的効果を奏するために、あきがこない興趣性を発揮し得る。
【００２１】
また電飾装置１は、図２に示すようにレンズ取付台７を有している。そしてレンズ取付台７が変形装置４によって変形されることで、レンズ３が変形する。したがってレンズ３は、レンズ取付台７によって保持されるために安定良く保持され得る。そしてレンズ取付台７を変形装置４によって弾性変形させることでレンズ３がレンズ取付台７を介して弾性変形される。
【００２２】
図２に示すように発光体２ａとレンズ３の間には、凹部または凸部を有する内側レンズ６が設けられている。したがって内側レンズ６の凹部または凸部によって光が屈折、散乱等する。そして屈折、散乱等した光は、レンズ３によってさらに屈折するが、その屈折角度がレンズ３の変形に連動して変化する。そのため屈折、散乱等した光の屈折角度が変化することで遊技機の興趣性が向上する。
【００２３】
（他の実施の形態）
本発明は、上記実施の形態に限定されず、以下の形態等であっても良い。
（１）上記実施の形態は、図柄表示装置１５の枠体１５ｂに電飾装置１が取付けられていた。しかし電飾装置１が前枠１２や外枠１１、あるいは遊技盤１４の他の位置に取付けられる形態等であっても良い。
（２）上記実施の形態の電飾装置１は、レンズ取付台７を有していた。しかしレンズ取付台７を有しておらず、変形装置４の爪部材４ｂによってレンズ３が直接押されて変形される形態であっても良い。
（３）上記実施の形態のレンズ３は、変形装置４によって上下方向に潰される形態であった。しかしレンズが変形装置によって左右方向に潰される形態、あるいは上下方向に伸ばされる形態、左右方向に伸ばされる形態などであっても良い。
（４）上記実施の形態の変形装置４は、駆動源４ａとしてモータを有していた。しかし駆動源として、ソレノイドを有するスイッチ部材を有し、スイッチ部材の出力によって爪部材をスライドさせる形態であっても良い。
（５）上記実施の形態の表側ベース５ａの取付孔５ａ４は、略円形状に形成されていた。しかし取付孔を長穴に形成することで、レンズ取付台７を弾性変形しやすくする形態であっても良い。
（６）上記実施の形態は、内側レンズ６を有していたが、内側レンズ６を有していない形態であっても良い。
【図面の簡単な説明】
【００２４】
【図１】遊技機の正面図である。
【図２】電飾装置の斜視図である。
【図３】電飾装置の分解斜視図である。
【図４】電飾装置の分解斜視図である。
【図５】変形装置の斜視図である。
【図６】電飾装置の正面図（Ａ）（Ｃ）とその一部断面図（Ｂ）（Ｄ）である。
【符号の説明】
【００２５】
１…電飾装置
２…発光装置
２ａ…発光体
３…レンズ
４…変形装置
４ａ…駆動源
４ｂ…爪部材
４ｃ…ギヤ
４ｄ…スライド部材
５…ベース体
６…内側レンズ
７…レンズ取付台
１０…パチンコ機
１４…遊技盤
１５…図柄表示装置
１５ａ…表示部
１５ｂ…枠体
【図１】
2009172187.tif 000003
【図２】
2009172187.tif 000004
【図３】
2009172187.tif 000005
【図４】
2009172187.tif 000006
【図５】
2009172187.tif 000007
【図６】
2009172187.tif 000008